(57)【要約】情報と制御データを有する光ディスクをコピー保護する方法において、選択された情報へのアクセスが、選択された情報を記述する制御データを、除去し、変造し又は、他の正しくなく又は不正確にすることにより制御される。例えば、光ディスクが、第１の、オーディオ、セッションと、第２の、データ、セッションの両方を有する場合には、オーディオファイルをデータファイルとして正しくなく識別する制御データをデータをデータセッション内に含めることにより、オーディオセッションは効果的にデータ読取装置から隠される。更に又は代わりに、データセッションを構成する情報のボリュームの、ファイル、ディレクト又は、記述子内の情報は、除去され、変造され又は、正しくなく又は不正確にされ、同様にデータ読取装置が情報へアクセスすることを防止する。
2005505884.tif 000002
【特許請求の範囲】
【請求項１】
情報と制御データを有する光ディスク上の情報へのアクセスを制御する方法であって、制御データは、情報へのアクセスを容易にするように配置され、選択された情報へのアクセスは、前記選択された情報を記述する制御データを、除去する、変造する、正しくない及び／又は不正確にする又は、妨害することにより、制御される、方法。
【請求項２】
前記制御データへ与えられる妨害は、光ディスク上の情報をコピー保護するように配置される、請求項１に記載の方法。
【請求項３】
前記制御データへ与えられる妨害は、アクセスが許可されている光ディスク上の任意の情報へアクセスすることを可能とするように配置される、請求項１或は２に記載の方法。
【請求項４】
前記情報は少なくとも２つの別々のセッションに光ディスク上に配置され、それぞれの制御データは各セッションに関連し、第１のセッション内の選択された情報へのアクセスは、第２のセッションにあり且つ前記選択された情報を記述する制御データを妨害することにより制御される、請求項１乃至３のうちいずれか一項に記載の方法。
【請求項５】
妨害が与えられる前記制御データは、情報の性質、及び／又はディスク上の情報の位置、及び／又はディスク上の情報の構造、及び／又はどのように情報がアクセスされるべきか、に関する記述を提供する記述的データである、請求項１乃至４のうちいずれか一項に記載の方法。
【請求項６】
妨害が与えられる前記制御データは、データセッションへのリードイン内に設けられる、請求項５に記載の方法。
【請求項７】
前記制御データは、テーブルオブコンテンツ（ＴＯＣ）内にある、請求項６に記載の方法。
【請求項８】
妨害が与えられる前記制御データは、情報についての１つ又はそれ以上の記述子内に設けられる、請求項５乃至７のうちいずれか一項に記載の方法。
【請求項９】
前記制御データは、プライマリボリューム記述子内にある、請求項８に記載に方法。
【請求項１０】
前記制御データは、セカンダリボリューム記述子内にある、請求項８或は９に記載に方法。
【請求項１１】
前記制御データは、１つ又はそれ以上のディレクトリ内にある、請求項８乃至１０のうちいずれか一項に記載の方法。
【請求項１２】
妨害が与えられる前記制御データは、アドレス情報である、請求項５乃至１１のうちいずれか一項に記載の方法。
【請求項１３】
妨害が与えられる前記制御データは、ナビゲーション及び／又はタイミングデータである、請求項５乃至１２のうちいずれか一項に記載の方法。
【請求項１４】
前記制御データは、除去される、請求項１乃至１３のうちいずれか一項に記載の方法。
【請求項１５】
前記除去された制御データは、プライマリボリューム記述子である請求項１４に記載の方法。
【請求項１６】
前記制御データは、変造される、請求項１乃至１５のうちいずれか一項に記載の方法。
【請求項１７】
前記制御データは、その値を異なる値で置換することにより変造される、請求項１６に記載の方法。
【請求項１８】
置換値は、全てゼロ又はランダム数である、請求項１７に記載の方法。
【請求項１９】
置換値は、ＤＳＶ問題を発生するように選択される、請求項１７に記載の方法。
【請求項２０】
前記制御データは、暗号化され又はスクランブルされる、請求項１７に記載の方法。
【請求項２１】
前記制御データは、正しくなく及び／又は不正確にされる、請求項１乃至２０のうちいずれか一項に記載の方法。
【請求項２２】
情報の性質、及び／又は情報の位置、及び／又は情報の構造、及び／又は情報のアドレスは、妨害され、それにより、制御データは正しくなく及び／又は不正確にされる、請求項２１に記載の方法。
【請求項２３】
情報と制御データを有する光ディスク上の情報へのアクセスを制御する方法であって、制御データは、情報へのアクセスを容易にするように配置され、情報は少なくとも２つの別々のセッションに光ディスク上に配置され、それぞれの制御データは各セッションに関連し、第１のセッション内の情報へのアクセスは、第２のセッション内の制御データに、正しくない及び／又は不正確な値を組み込むことにより、制御される、方法。
【請求項２４】
前記正しくない及び／又は不正確な値は、アクセスが制御されるべき第１のセッション内の情報を記述する第２のセッション内の制御データ内に組み込まれる、請求項２３に記載の方法。
【請求項２５】
第１のセッション内の情報はオーディオデータであり、本方法は、第１のセッション内のオーディオファイルをデータファイルとして正しくなく識別する制御データを第２データセッション内に含めることにより、オーディオデータをデータ読取読取装置により読出しできなくする、請求項２４に記載の方法。
【請求項２６】
正しくない及び／又は不正確な値を組み込む前記制御データは、正しくない及び／又は不正確な値を訂正する適切な手段が設けられていない場合には、光ディスクを再生不可能にするように配置される、請求項２４に記載の方法。
【請求項２７】
その上の情報へのアクセスを制御する手段を有する光ディスクであって、光ディスクは情報と制御データを有し、制御データは情報へのアクセスを容易にするように配置され、選択された情報へのアクセスを制御するために、前記選択された情報を記述する制御データが、除去され、変造され、正しくなく及び／又は不正確にされ又は、妨害される、光ディスク。
【請求項２８】
前記制御データに与えられた妨害は、ディスク上の情報をコピー保護するように配置される、請求項２７に記載の光ディスク。
【請求項２９】
前記制御データへ与えられるた妨害は、アクセスが許可されているディスク上の選択された情報のみへアクセスすることを可能とするように配置される、請求項２７或は２８に記載の光ディスク。
【請求項３０】
前記情報は少なくとも２つの別々のセッションにディスク上に配置され、それぞれの制御データは各セッションに関連し、第１のセッション内の選択された情報へのアクセスは、第２のセッションにあり且つ前記選択された情報を記述する制御データが妨害されることを提供することにより制御される、請求項２７乃至２９のうちいずれか一項に記載の光ディスク。
【請求項３１】
妨害が与えられた前記制御データは、情報の性質、及び／又はディスク上の情報の位置、及び／又はディスク上の情報のデータ構造、及び／又はどのように情報がアクセスされるべきか、に関する記述を提供する記述的データである、請求項２７乃至３０のうちいずれか一項に記載の光ディスク。
【請求項３２】
前記制御データは、データセッションへのリードイン内に設けられる、請求項３１に記載の光ディスク。
【請求項３３】
妨害が与えられた前記制御データは、テーブルオブコンテンツ（ＴＯＣ）内にある、請求項３２に記載の光ディスク。
【請求項３４】
妨害が与えられた前記制御データは、情報についての１つ又はそれ以上の記述子内に設けられる、請求項３１乃至３３のうちいずれか一項に記載の光ディスク。
【請求項３５】
前記制御データは、プライマリボリューム記述子内にある、請求項３４に記載に光ディスク。
【請求項３６】
前記制御データは、セカンダリボリューム記述子内にある、請求項３４或は３５に記載に光ディスク。
【請求項３７】
前記制御データは、１つ又はそれ以上のディレクトリ内にある、請求項３４乃至３６のうちいずれか一項に記載の光ディスク。
【請求項３８】
妨害が与えられた前記制御データは、アドレス情報である、請求項３１乃至３７のうちいずれか一項に記載の光ディスク。
【請求項３９】
妨害が与えられた前記制御データは、ナビゲーション及び／又はタイミングデータである、請求項３１乃至３８のうちいずれか一項に記載の光ディスク。
【請求項４０】
前記制御データは、除去された、請求項２７乃至３９のうちいずれか一項に記載の光ディスク。
【請求項４１】
前記除去された制御データは、プライマリボリューム記述子であった、請求項４０に記載の光ディスク。
【請求項４２】
前記制御データは、変造された、請求項２７乃至４１のうちいずれか一項に記載の光ディスク。
【請求項４３】
前記制御データは、その値を異なる値で置換することにより変造された、請求項４２に記載の光ディスク。
【請求項４４】
置換値は、全てゼロ又はランダム数である、請求項４３に記載の光ディスク。
【請求項４５】
置換値は、ＤＳＶ問題を発生するように選択された、請求項４３に記載の光ディスク。
【請求項４６】
前記制御データは、暗号化され又はスクランブルされた、請求項４３に記載の光ディスク。
【請求項４７】
前記制御データは、正しくなく及び／又は不正確にされた、請求項２７乃至４６のうちいずれか一項に記載の光ディスク。
【請求項４８】
情報の性質、及び／又は情報の位置、及び／又は情報の構造、及び／又は情報のアドレスは、妨害され、それにより、制御データは正しくなく及び／又は不正確にされた、請求項４７に記載の光ディスク。
【請求項４９】
その上の情報へのアクセスを制御する手段を有する光ディスクであって、光ディスクは情報と制御データを有し、制御データは情報へのアクセスを容易にするように配置され、情報は少なくとも２つの別々のセッションにディスク上に配置され、それぞれの制御データは各セッションに関連し、第１のセッション内の情報へのアクセスは、制御データへ正しくなく及び／又は不正確値が組み込まれた、第２のセッションの制御データより制御される、光ディスク。
【請求項５０】
正しくない及び／又は不正確値は、第２のセッション内にあり且つアクセスが制御される第１のセッション内の情報を記述する制御データ内に組み込まれた、請求項４９に記載の光ディスク。
【請求項５１】
データを記録するディスクへの応用のための情報のボリュームであって、情報はファイルに配置され、ファイルの属性と位置は、ディレクトリに記録され、ボリュームはファイルとディレクトリにより及びボリューム、ディレクト及びファイルに関する記述的情報を含む記述子により組み込まれ、情報のボリュームは選択された情報へのアクセスを制御する又は防止するために変更され、変更は、１つ又はそれ以上の記述子の除去又は変造、及び／又は１つ又はそれ以上の記述子を正しくなく及び／又は不正確にすることである、ボリューム。
【請求項５２】
プライマリボリューム記述子が、変造され又は除去され及び／又は、そこのデータが正しくなく又は不正確にされる、請求項５１に記載のボリューム。
【請求項５３】
セカンダリボリューム記述子が、変造され又は除去され及び／又は、そこのデータが正しくなく又は不正確にされる、請求項５１或は５２に記載のボリューム。
【請求項５４】
１つ又はそれ以上のディレクトリが、変造され又は除去され及び／又は、そこのデータが正しくなく又は不正確にされる、請求項５１乃至５３のうちいずれか一項に記載のボリューム。
【請求項５５】
アドレス情報が、変造され又は除去され及び／又は、そこのデータが正しくなく又は不正確にされる、請求項５１乃至５４のうちいずれか一項に記載のボリューム。
【請求項５６】
プライマリボリューム記述子が、除去される、請求項５１乃至５５のうちいずれか一項に記載のボリューム。
【請求項５７】
ディレクトリへのプライマリボリューム記述子のポインタが、除去される、請求項５１乃至５５のうちいずれか一項に記載のボリューム。
【請求項５８】
前記ディレクトリは、ルートディレクトリと他のサブディレクトリを有する階層構造に配置され、除去されたポインタはルートディレクトリへアクセスした、請求項５７に記載のボリューム。
【請求項５９】
少なくとも１つの記述子内のデータが、変造される、請求項５１乃至５８のうちいずれか一項に記載のボリューム。
【請求項６０】
前記データは、その値を異なる値で置換することにより、変造される、請求項５９に記載のボリューム。
【請求項６１】
置換値は、全てゼロ又はランダム数である、請求項６０に記載のボリューム。
【請求項６２】
置換値は、ＤＳＶ問題を発生するように選択される、請求項６０に記載のボリューム。
【請求項６３】
情報の性質、及び／又は情報の位置、及び／又は情報の構造、及び／又は情報のアドレスは、妨害され、それにより、１つ又はそれ以上の記述子は正しくなく及び／又は不正確にされる、請求項５１乃至６２のうちいずれか一項に記載のボリューム。
【発明の詳細な説明】
【０００１】
本発明は、光ディスク上のデータへのアクセスを制御する方法、及び、そのデータへのアクセスを制御するための手段を有する光ディスクに関連する。
【０００２】
音楽あるいは他のオーディオを記憶するディジタルオーディオコンパクトディスク（ＣＤ−ＤＡ）は、ＣＤプレーヤだけではなく、ディスク上のデータを再生こともできるＣＤ−ＲＯＭドライブのような、いっそう高度な装置でも再生できる。これは、例えば、ユーザによって取得されたＣＤ−ＤＡ上のデータが、そのＲＯＭドライブによりＰＣに読み込まれて、そしてもう１つのディスクあるいは他の記録媒体にコピーされうることを意味する。ＣＤに書き込むことが可能であるレコーダの増加する有効性は、それにより、音楽業界に対する巨大な脅威である。
【０００３】
ＷＯ００／７４０５３は、ディスクに符号化された制御データを、正しくなく及び／又は不正確にすることによって、デジタルオーディオコンパクトディスク上に音声データをコピー保護することを提案する。ＣＤに符号化された正しくないデータは、アクセスできなくもか、あるいは、ＣＤ−ＤＡプレーヤにより、一般に使用されない。従って、ユーザによって購入された合法的なオーディオＣＤは、通常は、コンパクトディスク音楽プレーヤで再生されることができる。しかしながら、正しくないデータは、ＣＤ上の保護されたオーディオをＣＤ−ＲＯＭドライブによって再生できないようにする。
【０００４】
しかしながら、保護されたオーディオデータが、ＣＤ−ＲＯＭドライブ上で再生できなくされるので、ユーザは、ＣＤ−ＲＯＭドライブを合法的に単純にディスク上の音楽あるいは他のオーディオを再生するために使うことも防止される。
【０００５】
オーディオディスクを再生するための機能を有するすべてのプレーヤ上で、使用可能なコピーディスクの複製を妨げながら、例えば、合法的なオーディオディスクを再生することを妨げず又は劣化させない、光ディスクのためのコピー保護の方法を提供することは明らかに有利であるであろう。このようなコピー保護方法の例が、ＷＯ０１／６１６９５及びＷＯ０１／６１６９６に記載されている。
【０００６】
本発明は代わりのコピー保護方法を提供する。
【０００７】
本発明の第１の局面に従って、情報と制御データを有する光ディスク上の情報へのアクセスを制御する方法であって、制御データは、情報へのアクセスを容易にするように配置され、選択された情報へのアクセスは、前記選択された情報を記述する制御データを、除去する、変造する、正しくない及び／又は不正確にする又は、妨害することにより、制御される、方法が提供される。
【０００８】
本発明の方法の実施例は、光ディスク上の情報又は、その情報の選択についてコピー保護するのに使用され得、及び／又は、制御データに与えられた妨害は、アクセスが許可されているディスク上の情報のみへのアクセスを可能とするように配置されうる。
【０００９】
本発明の方法の望ましい実施例では、前記情報は少なくとも２つの別々のセッションに光ディスク上に配置され、それぞれの制御データは各セッションに関連し、第１のセッション内の選択された情報へのアクセスは、第２のセッションにあり且つ前記選択された情報を記述する制御データを妨害することにより制御される。
【００１０】
例えば、ＣＤ−ＤＡをコピー保護するために使用するための本発明の実施例では、ＣＤ上に符号化された正しくない制御データは、無視されるか又は、一般にディスク上のオーディオデータの再生することに対する効果を与えないであろう。従って、ユーザによって購入された合法的なオーディオＣＤは、通常、オーディオデータを再生することが可能であるどんなプレーヤででも再生されることができる。しかしながら、オーディオデータを読むことによって、コピー保護されたＣＤのコピーが作られる場合には、オーディオデータの読み出しあるいは抽出が防止されるか又は、制御される。
【００１１】
明細書では、用語「オーディオプレーヤ」は、デジタルオーディオコンパクトディスク上のオーディオデータを再生するように配置さられた又は制御されたプレーヤ及びドライブを指すために使われる。このようなプレーヤは、従って、単に、ＣＤ上の音楽又は他のオーディオを再生するよう機能する、商業的に入手可能なＣＤ音楽プレーヤを含むであろう。ＣＤ上に符号化された正しくないデータは一般的には、そのような”オーディオプレーヤ”の通常の動作に、影響を与えない又は影響しない。
【００１２】
明細書では、用語”データ読取装置”は、プレーヤとドライブが、例えば、ディスク上のでデータを抽出するか又はアクセスすることにより、ディスク上のデータを読むために、配置されるか又は制御されるすべてのプレーヤとドライブを指すために使われる。このようなプレーヤは、ディスクからデータを読む又は抽出するために構成される又は制御されるときに、ＣＤ−ＲＯＭ及びＣＤ−Ｉドライブを含む。この点に関して、ＣＤ−ＲＯＭドライブに、例えば、合法的なＣＤ−ＤＡを再生することを可能とするが、しかしこのようなＣＤ−ＲＯＭドライブがディスクの使用可能なコピーを作るために使われるのを防止することができるようにすることが、必要とされる。
【００１３】
上に明らかにされるように、本発明は一般に、光ディスク上の情報へのアクセスの制御に適用できる。明らかに、情報の性質と制御データの性質は、関係している光ディスクのフォーマットに従って変わるであろう。ＣＤ−ＤＡについては、例えば、情報は一般に、オーディオデータのみであり、一方、近代的なＣＤ−ＲＯＭフォーマットでは、情報はただ書かれた数値とオーディオデータだけではなく、同じくビデオデータ、グラフィックスデータ、プログラムとコンピュータデータ及び他の性質のデータを含みうる。
【００１４】
上に述べられた本発明の実施例は一般に、選択された情報を記述している制御データが、除去され、変造され、正しくない及び／又は不正確にされ又は、妨害されることを必要とする。妨害が与えられる制御データは、例えば、情報の性質、及び／又はディスク上の情報の位置、及び／又はディスク上の情報の構造、及び／又はどのように情報がアクセスされべきるか、に関する記述を提供する記述的データである。この後者は、アクセス制御、記述的データは、例えば、符号化機構、データタイミング、又は、同期と他の制御ワードの存在についての情報を含みうる。
【００１５】
制御データは、例えば、例えば、テーブルオブコンテンツ（ＴＯＣ）内のデータセッションへのリードイン内に設けられ及び／又は、一般にナビゲーション及び／又はタイミングデータに含まれ又はそれにより構成されうる。
【００１６】
さらに及び／又は代わりに、妨害が適用される制御データは、情報についての１つ又はそれ以上の記述子内に提供される。例えば、前記制御データは、プライマリボリューム記述子内にあってもよい。さらに及び／又は代わりに、前記制御データは、セカンダリボリューム記述子内にあってもよい。
【００１７】
一実施例では、前記制御データは、１つ又はそれ以上のディレクトリ内にあってもよい。例えば、妨害が適用される制御データは、アドレス情報でもよい。
【００１８】
制御データが除去される望ましい実施例では、除去された制御データは、プライマリボリューム記述子である。
【００１９】
制御データが変造される実施例では、変造は、制御データの値を異なった値で置き換えることによってである。例えば、置換値は全てゼロ又は、ランダム数であってもよい。代わりに、置換値は、例えば、ＰＣＴ／ＧＢ０１／０３３６４に記載されているように、ＤＳＶ問題を起こすように選ばれうる。
【００２０】
一実施例では、制御データは暗号化されるか又はスクランブルされる。データ読取装置又はその所有者が、情報へのアクセスを許可される場合には、例えば、データ読取装置は、適切な復号又はアンスクランブルソフトウェアが設けられ又はそれにアクセスすることができ、それにより、制御データについての正しい値へアクセスできそれにより情報へアクセスできる。
【００２１】
好ましい実施例では、制御データは正しくなく及び／又は不正確になされる。
【００２２】
例えば、情報の性質及び／又は、情報の場所、及び／又は情報の構造、及び／又は、情報のためのアドレスは、それによって制御データを正しくなく及び／又は不正確とするために妨害される。
【００２３】
本発明の第２の局面に従って、情報と制御データを有する光ディスク上の情報へのアクセスを制御する方法であって、制御データは、情報へのアクセスを容易にするように配置され、情報は少なくとも２つの別々のセッションに光ディスク上に配置され、それぞれの制御データは各セッションに関連し、第１のセッション内の情報へのアクセスは、第２のセッション内の制御データに、正しくない及び／又は不正確な値を組み込むことにより、制御される、方法が提供される。
【００２４】
複数セッションの使用で、本発明の方法の実施例に従って、効果的に個別のセッションを”隠す”ことが可能である。例えば、第１のセッション内の情報がオーディオデータである場合には、オーディオファイルをデータファイルであると間違って識別する制御データを第２のデータ線ションに含めることにより、そのオーディオデータはデータ読取装置に読めなくされうる。
【００２５】
さらに加えて及び／又は代わりに、適切な手段が正しくない及び／又は不正確な値を修正するために提供されない場合には、正しくない及び／又は不正確な値を組み込んでいる制御データは、光ディスクを再生できなくするように配置されうる。
【００２６】
本発明のこの第２の面の望ましい実施例では、前記正しくない及び／又は不正確な値は、アクセスが制御されるべき第１のセッション内の情報を記述する第２のセッション内の制御データ内に組み込まれる。
【００２７】
本発明は、その上の情報へのアクセスを制御する手段を有する光ディスクであって、光ディスクは情報と制御データを有し、制御データは情報へのアクセスを容易にするように配置され、選択された情報へのアクセスを制御するために、前記選択された情報を記述する制御データが、除去され、変造され、正しくなく及び／又は不正確にされ又は、妨害される、光ディスクへも拡張される。
【００２８】
その上の情報がコピー保護されるように及び／又は、選択された情報へのアクセスがアクセスが認可されるところにのみ有効なように、本発明の光ディスクの実施例が構成されうる。
【００２９】
本発明の光ディスクの望ましい実施例では、情報は少なくとも２つの別々のセッションにディスク上に配置され、それぞれの制御データは各セッションに関連し、第１のセッション内の選択された情報へのアクセスは、第２のセッションにあり且つ前記選択された情報を記述する制御データが妨害されることを提供することにより制御される。
【００３０】
使用のための本発明の実施例では、例えば、光ディスクがその上の情報がオーディオデータであるようなＣＤ−ＤＡである場合には、妨害されたそしてＣＤ上に符号化される制御データは、無視されるか又は、一般にディスク上のオーディオデータを再生することについての効果を有しないであろう。
【００３１】
妨害が与えられた光ディスク上の制御データは、例えば、情報の性質、及び／又はディスク上の情報の位置、及び／又はディスク上の情報のデータ構造、及び／又はどのように情報がアクセスされるべきか、に関する記述を提供する記述的データである。この後者、アクセス制御、記述的データは、例えば、符号化機構、データタイミング、又は、同期パルスと他の制御ワードの存在についての情報を含みうる。
【００３２】
妨害が与えられる制御データは、例えば、例えば、テーブルオブコンテンツ（ＴＯＣ）内のデータセッションへのリードイン内に設けられ及び／又は、一般に他のナビゲーション及び／又はタイミングデータに含まれ又はそれにより構成されうる。
【００３３】
実施例では、妨害が与えられる制御データは、情報についての１つ又はそれ以上の記述子内に提供される。例えば、制御データは、プライマリボリューム記述子内にあってもよい。さらに及び／又は代わりに、制御データは、セカンダリボリューム記述子内にあってもよい。さらに及び／又は代わりに、制御データは、１つ又はそれ以上のディレクトリ内にあってもよい。
【００３４】
さらに及び／又は代わりに、妨害が与えられる制御データは、アドレス情報でもよい。
【００３５】
さらに及び／又は代わりに、妨害が与えられる制御データは、ナビゲーション及び／又はタイミングデータでもよい。
【００３６】
制御データが除去された実施例では、除去された制御データはプライマリボリューム記述子であったかもしれない。
【００３７】
制御データが変造された更なる及び／又は代わりの実施例では、その値を異なった値で置き換えることによって、制御データは変造されうる。例えば、置換値は全てゼロあるいはランダム数でもよい。代わりに、置換値は、ＰＣＴ／ＧＢ０１／０３３６４に記載されたように、例えば、ＤＳＶ問題を起こすように選ばれたかもしれない。
【００３８】
好ましい実施例では、制御データの値は暗号化されるか又はスクランブルされうる。
【００３９】
制御データが正しくなく及び／又は不正確にされた実施例では、情報の性質、及び／又は情報の位置、及び／又は情報の構造、及び／又は情報についてのアドレスが妨害されそれにより、制御データを正しくなく及び／又は不正確にする。
【００４０】
本発明は更に、その上の情報へのアクセスを制御する手段を有する光ディスクであって、光ディスクは情報と制御データを有し、制御データは情報へのアクセスを容易にするように配置され、情報は少なくとも２つの別々のセッションにディスク上に配置され、それぞれの制御データは各セッションに関連し、第１のセッション内の情報へのアクセスは、制御データへ正しくなく及び／又は不正確値が組み込まれた、第２のセッションの制御データより制御される、光ディスクへ拡張する。
【００４１】
本発明の光ディスクの実施例では、正しくない及び／又は不正確値は、第２のセッション内の制御データに組み込まれ、この制御データは、アクセスが制御される第１のセッション内の情報を記述する。
【００４２】
本発明の更なる面に従って、データを記録するディスクへの応用のための情報のボリュームであって、情報はファイルに配置され、ファイルの属性と位置は、ディレクトリに記録され、ボリュームはファイルとディレクトリにより及びボリューム、ディレクト及びファイルに関する記述的情報を含む記述子により組み込まれ、情報のボリュームは選択された情報へのアクセスを制御する又は防止するために変更され、変更は、１つ又はそれ以上の記述子の除去又は変造、及び／又は１つ又はそれ以上の記述子を正しくなく及び／又は不正確にすることである、ボリュームが提供される。
【００４３】
本発明の実施例のボリューム情報は符号化されて、そして、情報についてのコピー保護を提供するために、例えば、ＣＤ−ＤＡに適用されうる。
【００４４】
実施例では、プライマリボリューム記述子が、変造され又は除去され及び／又は、そこのデータが正しくなく又は不正確にされる。更に及び／又は代わりに、セカンダリボリューム記述子が、変造され又は除去され及び／又は、そこのデータが正しくなく又は不正確にされる。更に及び／又は代わりに、１つ又はそれ以上のディレクトリが、変造され又は除去され及び／又は、そこのデータが正しくなく又は不正確にされる。
【００４５】
追加の及び／又は代わりの実施例では、アドレス情報が、変造され又は除去され及び／又は、そこのデータが正しくなく又は不正確にされる。
【００４６】
好ましい実施例では、プライマリボリューム記述子が、除去される。更に及び／又は代わりに、ディレクトリへのプライマリボリューム記述子のポインタが、除去される。ディレクトリは一般的には、ルートディレクトリと他のサブディレクトリを有する階層構造に配置され、除去されたポインタはルートディレクトリへアクセスした。
【００４７】
本発明の実施例を以下に、添付の図面を参照して、例により、説明する。
【００４８】
音楽を記録しそして従来のＣＤディスクプレーヤーのようなオーディオプレーヤー上で再生されるべきデジタルオーディオコンパクトディスク（ＣＤ−ＤＡ）は、レッドブック規格として知られる標準フォーマットに作成され且つ記録される。その寸法のような、ディスクの物理的特性と、レーザー波長のような、その光学的性質を定義すると共に、レッドブック、は同じく信号フォーマットと使用されるデータ符号化を定義する。
【００４９】
よく知られているように、レッドブック規格は、それらの規格に対して生産されたどんなＣＤ−ＤＡでも、それらの規格に対して製造されたどんなオーディオプレーヤでも再生されることを保証する。
【００５０】
図１は、ＣＤ６の上のらせんトラック４を概略的に示す。ＣＤ−ＤＡの上のこのらせんトラック４は、リードイン８、幾つかの連続する音楽又はオーディオトラック１０、及びリードアウト１２に分割される。リードイントラック８は、オーディオプレーヤが後に続くトラックを識別するテーブルオブコンテンツ（ＴＯＣ）を含む。リードアウト１２は、トラック４が終了されることを知らせる。
【００５１】
オーディオプレーヤは常に、スタートアップでリードイントラック８にアクセスする。読取りヘッドがリードインからリードアウトまでトラック４を追跡するにつれて、音楽トラックは連続して再生されうる。代わりに、必要とされるように、プレーヤは、それぞれのオーディオトラックの始まりに読取りヘッドを移動する。
【００５２】
一般に、コンパクトディスクプレーヤーは、読取りヘッドをリードアウトトラック１２の先頭を越えて移動しないようプログラムされる。これは読取りヘッドを保護するためである。
【００５３】
肉眼には、ＣＤ−ＲＯＭが正確にＣＤ−ＤＡと同じように見えて、そしてセクタに分割された同じらせんトラックを有する。しかしながら、ＣＤ−ＲＯＭドライブのような、データ読取装置は非常に高度であり、そしてデータを読み、そしてそのデータあるいは情報の性質に従って、コンパクトディスクの各セクタから、情報を処理することができるようにされる。データ読取装置は、各セクタから情報を読み取る事により走査でき、それにより、読取りヘッドは、必要とされるように、らせんトラック４の任意の適切な部分にでもアクセスするよう駆動されることができる。
【００５４】
どんなデータ読取装置でもどんなＣＤ−ＲＯＭでも読むことができることを保証するために、コンパクトディスクと読取装置は、この場合、イエローブック規格として知られている規格に作られる。これらのイエローブック規格はレッドブック規格を含み且つ拡張する。それ故、ＣＤ−ＲＯＭドライブのような、データ読取装置がＣＤ−ＤＡを再生するために制御され得る。
【００５５】
データ読取装置のＣＤ−ＤＡの上にデータにアクセスして、抽出し、又は読み出す能力は、音楽業界に問題を提供する。ユーザは、ＣＤ−ＲＯＭドライブを、例えば、コンピュータファイルにオーディオディスクからのデータを読み込むために使うことができる、そして次にそのデータはコピーされることができる。コンパクトディスクに記録することが可能である記録装置の増加する有効性は、個人と機構が今、オーディオコンパクトディスクの完全なコピーを作る技術への容易なアクセスを持っていることを意味する。これは音楽業界への大きな懸念である。
【００５６】
それが専用のコンパクトディスク音楽プレーヤ、又はオーディオディスクを再生するように制御されているときにいっそう高度なＣＤ−ＲＯＭドライブである、オーディオプレーヤは、レッドブック規格に符号化されたデータを探してそして使うだけである。その上、もしデータに不正確さが現われる場合には、オーディオプレーヤは一般に、エラーを訂正しようとするよりむしろ再生し続けるであろう。例えば、もし読取りヘッドがトラックの先頭に移動され、そしてそのトラックの再生を開始した場合には、たとえタイミング情報に若干のエラーがあることが明白になる場合でさえも、オーディオプレーヤはその終わりまでそのトラックを再生し続けるであろう。それと対照して、データ読取装置は、エラーを識別して、そして訂正するように配置される。
【００５７】
ＣＤ−ＤＡ上の及びＣＤ−ＲＯＭ上のデータ符号化はよく知られているおりそして適切な規格に従っているので、ここで詳細にそれを記述することは必要ではない。
【００５８】
簡単に、ＣＤの上のデータはＥＦＭ（８−１４変調）によってフレームに符号化される。図２は、フレームのフォーマットを示し、そしてそれから明らかあるように、各フレームは、同期データ、制御及び表示シンボルを提供しているサブコードビット、データビット及びパリティビットを有する。各フレームは、ＣＤ−ＤＡについてはオーディオデータである、２４バイトのデータを含む。
【００５９】
すべてのフレームに含まれて、そしてＰ、Ｑ、Ｒ、Ｓ、Ｔ、Ｕ、Ｖ及びＷのように指定された８のサブコードビットがある。一般的には、ＰとＱのサブコードビットのみが、オーディオフォーマットで使われる。規格は、図２の９８のフレームがセクタにグループ化され、そして９８のフレームからのサブコードビットはサブコードブロックを構成するために集められることを必要とする。すなわち、各サブコードのブロックは、９８の連続したフレームから一度に１バイト作られる。このようにして、８つの異なったサブチャネル、ＰからＷが形成される。これらのサブチャネルはディスクについての制御データを含んでいる。Ｐ−とＱ−サブチャネルは、ディスク上のトラックについてのタイミング及びナビゲーションデータを組み込み、そして一般にオーディオディスクで利用される唯一のサブチャネルである。
【００６０】
９８の連続したフレームから集められた１つのＱ−サブチャネルブロックについてのデータフォーマットは図３で示される。明らかなように、サブチャネルブロックの先頭は、最初の２シンボルとして同期パターンＳ０とＳ１の出現により示される。次のデータビットは、トラックの内容を定義するための制御ビットである。従って、制御ビットはオーディオ内容又は、データ内容を識別しうる。そして、アドレス情報、ＡＤＲが続き、これは、Ｑデータビットについての４モードの１つを規定する。７２ビットのＱデータがアドレス情報に続き、そして次に１６ＣＲＣ又は、チェック、ビットがあり、これは、制御、アドレス及びＱ−データビットの誤り検出のために使われる。
【００６１】
図４は、アドレス情報、ＡＤＲ、によって指定された４つのモードのそれぞれの、Ｑ−サブチャネルブロックのデータの内容を示す。モード０では、Ｑ−データのすべてがゼロの値を持っている。モード２では、Ｑ−データはユニバーサルプロダクトコードのバーコードのような、ディスクのためにカタログ番号を有する。更に、モード２では、隣接したブロックからの時間カウントのＡフレーム成分は継続される。モード３は、各音楽トラックを識別するＩＳＲコードを与えるために使われる。更に、そして示されているように、モード３では、絶対時間カウント、Ａ時間が継続される。
【００６２】
図４で示されるように、モード１では、各サブチャネルブロックの中のＱデータは、個別のオーディオトラックについての及びディスクの情報エリアのためのプログラムと時間情報を含む。示されているように、プログラムとリードアウトエリア中のＱデータに対してリードインエリアのＱデータは、異なったフォーマットである。しかしながら、モード１の両方のフォーマットで、Ｑデータはトラックに沿って時についての情報を与える。トラックの経過時間はＴ時間として参照されて、分、秒とフレームであり、そしてＴＭｉｎ、ＴＳｅｃ及びＴＦｒａｍｅはＴ時間のすべての要素である。プログラム及びリードアウトエリアでは、Ｑ−データはさらに、分、秒とフレームのディスクに関する絶対時間、Ａ時間についての情報を含み、そしてＡＭｉｎ、ＡＳｅｃ及びＡＦｒａｍｅはＡ時間のすべての要素である。
【００６３】
図５は、グラフィック的にＡ時間とＴ時間がどのようにディスクをわたり変化するか示す。Ａ時間は、ディスクをわたる絶対時間であり、そしてプログラムの先頭でゼロで始まる。Ｔ時間は、それぞれのトラックの中での経過時間であって、そして各トラックの先頭でゼロで始まる。このように、そして図５に示されたように、Ａ時間はディスクをわたり単調に増加し、Ｔ時間は個別のトラックに沿って増加する。図５に示されたように、Ｐ−サブチャネルは、各々が、それぞれのトラックの開始を示すフラグＦを含む。Ｐ−サブチャネルフラグは、同じくリードアウトエリアをも指定する。
【００６４】
図４に示されたように、モード１では、各Ｑ−サブチャネルブロックがＡ時間とＴ時間について次の連続した値を含む。オーディオプレーヤがオーディオトラックを再生するべきときには、ヘッドはトラックの先頭に移動される。ナビゲーションは、Ａ時間、Ｔ時間、及び／又は、Ｐ−サブチャネルフラグにより、又は、その幾つかの組み合わせによっているかもしれない。一般に、オーディオプレーヤが一旦トラックを再生し始めると、それは継続するであろう。もしデータエラーの位置が見つけられた場合には、トラックを再生することは一般に停止されず、そしてオーディオプレーヤは効果的に、発生するどんなデータエラーでも無視する。このように、オーディオプレーヤがトラックの先頭に確かに移動されることができる場合には、それは問題なしにそのトラックから連続するオーディオ出力を提供することが予想されうる。
【００６５】
上述のように、リードインエリアのモード１のＱ−データは、ＴＯＣを提供する。典型的なＴＯＣの一部が、図６ａ内にテーブルの形式で述べられている。１４での各トラックは、１６で、リードインの最後からの、時間のそしてセクタの開始アドレスが、与えられることは、わかるであろう。各トラックは、同じくＡ時間から計算される論理ブロックアドレス（ＬＢＡ）１８を有し、そしてディスク上のトラックの先頭についてのアドレスを提供する。２０で示されるように、オーディオディスクのＴＯＣは、プログラム域の先頭からリードアウトの先頭までのＡ時間をも識別する。しかしながら、オーディオプレーヤは、一般に、ＴＯＣからリードアウト時間を読まず、又は、使用しない。
【００６６】
図６ｂは、ＷＯ００／７４０５３に記載された方法により、ディスクをコピー保護するために変更された後の、図６ａからのＴＯＣのテーブル形式部を示す。特に、２０で、ディスクプログラムエリアの先頭からリードアウトまでのＡ時間が、リードアウトが最初のオーディオトラックのプリギャプの開始にあることを示しているゼロに設定されたことがわかる。従って、ディスク６にアクセスしているデータ読取装置は、ディスクがプログラム域を有していない、そしてリードインに直接リードアウトが続くことを示している情報をリードインから読むであろう。それが第１のトラックがリードアウトの中で始まると信じるので、データ読取装置は、読取りヘッドをオーディオトラックの先頭を越えて動かすことを拒否するであろう。データ読取装置が、従って、図６ｂのＴＯＣを有するディスクを読むか又は再生することは不可能であろう。
【００６７】
再び、ＷＯ００／７４０５３で記載されたように、図６ｂのＴＯＣは、ディスク上の情報のデータ読取装置による適切な使用をも妨げる第２の方法で変更された。この点に関して、そして図６ａと６ｂから明らかであるように、２２で示されるように、オーディオディスク上のトラックは、すべてオーディオトラックである。図６ｂのＴＯＣでは、これらのトラックは、データトラックであると誤って識別された。このように、たとえデータ読取装置がＴＯＣ内の誤ったリードアウト情報を無視するように操作される場合でさえも、次のトラックの各々は、アナログオーディオよりむしろ、デジタルデータを含むと言われる。プレーヤがデータを読もうとするが、しかし適切なＳＹＮＣ又はセクタヘッダを見いだすことができないので、それらのトラックの読みが混乱させられる。従ってエラーが結果として生じ、そして読み出しは満足されない。
【００６８】
オリジナルのＣＤ−ＤＡが最初に商業的に生産されていたときから、光ディスク上で記録されるデータの形式及び、データフォーマットは、開発された。例えば、光ディスクによって記録された情報は、今、オーディオ、数値であるか、あるいは書かれたデータだけではなく、ビデオ、グラフィックス、プログラム、コンピュータ及び他のデータをも含みうる。さらに、光ディスクは、情報がリードイン８とリードアウトの１２の間に伸びる図１に示されるような単一つの情報セッションだけを含まないかもしれない。図７は、一般に３０で示された第１のセッションが、それぞれのリードイン３４とリードアウト３６の間に第１のプログラムエリア３２を有し、そして続くセッション４０が、リードイン４４とリードアウト４６の間に同様に配置された自身のプログラムエリア４２を有する、複数セッションを持っているフォーマットを示す。それぞれのリードイン３４、４４が、一般に、３５と４５において示されているＴＯＣを含む。
【００６９】
図７は、特に、セッション３０がオーディオセッションであるような、第１のセッションがオーディオデータの形式の情報を有する複数セッションディスクを示す。次のセッション４０は、そのプログラムエリア４２で、非オーディオデータを有するデータセッションである。上述のように、図７に示されるように、複数セッションを持っているディスクに直面しているオーディオプレーヤーは一般に、第１のリードイン３４によりディスクにアクセスして、プログラムエリア３２のオーディオを再生し、そして、それがリードアウト３６に達するとき、停止するであろう。従って、従来のオーディオプレーヤが一般に、第２のセッション４０の存在に気が付かないであろう。これはプログラムエリア３２内のデータを、以下に記述されるように、データ読取装置によって読まれそしてコピーされることから保護する方法を導く。
【００７０】
この点に関して、データ読取装置が一般に、初めに、ディスクのセッションを確立するために、ディスクの情報エリアの全体を走査する。複数セッションがあるところで、データ読取装置が一般に、リードイン３４、４４又は、少なくとも各セッションのテーブルオブコンテンツ３５、４５にアクセスするであろう。従って、第１のセッション３０のプログラムエリア３２に関連している４０の、第２の又は次のセッションの、４４の、リードイン内に誤っているデータを置くことが提案された。オーディオプレーヤの性能に影響を与えないで、この誤っているデータは、データ読取装置に対して、プログラムエリア３２をコピー保護するのに使用されることができる。このように、リードインエリア４４でプログラムエリア３２の情報がデータとして識別される場合には、データ読取装置は、プログラムエリア３２でオーディオデータを読むことができないであろう。
【００７１】
このように、第１のオーディオ、セッション３０に関連している誤っている情報を有するディスク上に例えば、ダミーの第２のセッション４０を提供することにより、ＣＤ−ＤＡをコピー保護することは可能である。誤っている情報は、第１のセッションのトラックをデータとして識別し、それにより、データ読取装置は、正しくないフォーマットであるように見えるので、プログラムエリア３２でオーディオデータを読むことが不可能である。
【００７２】
第２のセッション４０をダミーセッションにする代わりに、それは代わりに、データ読取装置にのみ、例えば、アクセス可能な追加の素材を有するデータセッションとして提供されうる。従って、第２のデータセッション４０は、第１のセッション３０のオーディオトラックに関連しているビデオデータを含みうる。これは、データ読取装置の使用者に、ＣＤ−ＤＡであると見えるものから付加的な価値を与えられ、しかしオーディオデータをコピーするのを防止されることができるようにする。
【００７３】
光ディスクにそして特にＣＤ−ＲＯＭの上に記録されることができる情報量は増加され、そして情報の形式と性質が同様に増加したので、光ディスクに記録された情報の構造の規格を開発することが必要になった。１つのそのような規格は、光ディスクについての情報の配置を下に置いて、そしてデータセッションのコンテンツを記述する標準的なインデックスの準備を必要とする、ＩＳＯ９６６０規格である。
【００７４】
簡単に、データセッション又はセッションの情報は、ファイルに配置される。各ファイルと他のファイルの相互関係、及び、ファイルの位置と属性は、ディレクトリに記録される。これらのディレクトリは、ルートディレクトリと複数の他のサブディレクトリの階層関係で配置される。ファイルとディレクトリは共に、さらにボリューム記述子、ディレクトリ記述子とファイル記述子を含むボリュームを構成する。記述子は対応するボリューム、ディレクトリとファイルについての記述的な情報を含み、そしてボリュームの構造についての情報をも含んでいる。ボリューム内のすべての情報にアクセスすることができるようにするために、各ディレクトリは少なくとも他の１つのディレクトリ内で識別され、そしてルートディレクトリはプライマリボリューム記述子（ＰＶＤ）内で又は、補足のボリューム記述子（ＳＶＤ）内で識別される。
【００７５】
ＩＳＯ９６６０規格はよく知られていて、そしてここにさらに識別される必要がない。技術的に識別されるＥＣＭＡ−１１９の完全な詳細は、ｗｗｗ．ｅｃｍａ．ｃｈ入手できる。
【００７６】
規格はプライマリボリューム記述子（ＰＶＤ）５０が、４０のデータセッションの標準リードイン４４の後に起こることを要求する。従って、第１の、実質的に、標準的なオーディオセッション３０と、第２の、データセッション４０が設けられている、図７に示される複数セッションディスクでは、ＰＶＤ５０はデータセッション４０のプログラムエリア４２のセクタ１５のすぐ後に提供され、即ち、プログラムエリア４２の開始からＰＶＤ５０までに１６のセクタがある。
【００７７】
データ読取装置が、ＩＳＯ９６６０に従って配置されたデータを有する光ディスクにアクセスするときには、それはディスクとその構造に関する情報を識別するために記述子にアクセスして、そして読むであろう。従って、光ディスクの任意のエリアにアクセスするために、データ読取装置は、記述子にアクセスして、そしてそれが興味を持っているデータファイルを見いだすためにその中の情報を通して探索するであろう。記述子の情報が正しくなくされるかあるいは変造にされる場合には、ディスクに関する情報にアクセスすることにおいて、データ読取装置が重大な困難を有するであろうことはすぐに明白であるであろう。例えば、データ読取装置のオペレーティングシステムが、データの内容にアクセスしようと試みることにおいて、異常な値に遭遇する場合に、それはデータ読取装置を誤作動を発生させうる。オペレーティングシステムは、変造された記述子によって識別されたセクターを再度読もうと試みるかもしず、及び／又は、それは情報にそのエラー取扱システムを受けさせうる。しかしながら、データ読取装置のオペレーティングシステムは、正確にオーディオデータを読むことが可能であることはありそうもない。誤っている記述子で、従って、オーディオデータへのアクセスが結果として生じているコピーの上で使用可能ではないように、データ読取装置が達成する可能性が高い最も良いものは、変造されたデータをコピーすることである。他のデータ読取り装置が、単に”クラッシュする”かもしれない。
【００７８】
記述子に導入された正しくないデータは、幾つかのエラーの１つ又はそれ以上であるかもしれない。１つ又はそれ以上の記述子のデータを変造するか又は正しくなくすることについての一つの方法は、それらの内容をゼロで置換するか、又は、それらの標準値を変えることであるであろう。例えば、値はランダム数で置き換えられることができる。さらに及び／又は代わりに、ボリュームのデータ値が、例えば、ＰＣＴ／ＧＢ０１／０３３６４に記載されたように、ＤＳＶ問題を発生する値で置き換えられうる。
【００７９】
さらに及び／又は代わりに、ボリュームの一部が暗号化されうる。暗号化されたデータは、他の正しくないデータと同じように動作し、そしてそれによって記述されたデータへのアクセスを防止しそれにより、しかし、例えば、許可料の返礼に、ディスクを読むことを可能にするためにユーザへ、復号ソフトウェアを提供する機会を与えるであろう。
【００８０】
ＰＶＤ５０は、ディスクのタイトルのような情報とディレクトリの位置についてのような一般情報を含んでいるであろう。上述のように、ＰＶＤ５０は、ルートディレクトリ５２を識別し、そして、図７に示されるように、これはルートディレクトリ５２を指すポインタＰによってである。このように、ＰＶＤは、ディスクに関する情報へのアクセスを可能にしている全体的な制御データを提供し、そして望ましい実施例では、それは正しくなくなされるＰＶＤ５０内のデータである。
【００８１】
このように、そして例えば、ＰＶＤ５０内のデータのすべてがゼロにセットされうる。
【００８２】
図８は、ＰＶＤ５０が除去された代わりの具体化を示す。
【００８３】
図９に示された実施例では、ポインタＰ１がもはやルートディレクトリ５２を指さないが、しかしボリュームの異なった部分を示すように、ＰＶＤ５０は変造されている。従って、ルートディレクトリ５２はアクセスされない。
【００８４】
有効なＰＶＤを保持するが、しかし例えば、ディレクトリ構造がそのＰＶＤとは異なるように、ボリュームに対する変更をすることは代わりに可能である。図１０に示された実施例では、ルートディレクトリ５２は、例えば、そのポインタＲがもはやサブディレクトリ５４を指さないように、変造された。この場合には、実際には、ポインタＲは、任意の有効なサブディレクトリを指さない。
【００８５】
他の変更が、その構造を無効にするか又は、選択された記述子を不正確にボリューム構造又はコンテンツを記述させることのいずれかが、ボリュームになされうることは理解されるであろう。特にＰＶＤ以外の１つ又はそれ以上の記述子が変造されるか、あるいは除去されうるか、又は、記述子によって記述された構造が変えられうる。
【００８６】
ジョリエット（Ｊｏｌｉｅｔ）とＵＤＦのような、今存在するＩＳＯ９６６０以外の規格があり、そして明らかに、更なる規格が、情報が光ディスクに符号化されうる構造に従わせるために、将来存在しうる。それらが今存在しているか否かにかかわらず、本発明がそのような標準に適用できることは理解されるであろう。この点に関して、本発明は、その正しくないか又は不正確な記述的データによって記述された任意のデータについて、コピー保護を提供するために、適切な記述的データが正しくないか又は不正確にされることだけを必要とする。このように、上述のように、プライマリボリューム記述子のデータが、正しくなくされうる。さらに及び／又は代わりに、補足のボリューム記述子のデータが正しくなくされうる。変造が、例えば、ファイルアロケーションテーブル内で又は、セクタのアドレスと関連する任意のポインタ内で、ファイル構造情報の異なったレベルにおいても発生しうる。
【００８７】
上述のように、本発明の実施例は、ＣＤ−ＤＡを保護するために使われうる。これはオーディオセッションにダミーセッションを加え、そしてそのダミーセッションに正しくなくなされたオーディオセッションに関連している記述的データを提供することによってでもよい。代わりにそして上述のように、更なるセッションは、発行人の選択において、アクセス可能か又はコピー保護されうる有用なそして使用できる情報を含むデータセッションである。
【００８８】
しかしながら、ここに記述された技術は、データ読取装置によりコピーすることに対して、オーディオデータの保護より広い応用を有することができることは理解されるであろう。従って、そして記述されるように、この技術は、許可を与えられた購入者のみが、例えば、ＣＤ−ＲＯＭからのデータにアクセスできるか、又はコピーすることが可能であることを保証するために使われうる。
【００８９】
記述されそして示されたように、本発明への更なる修正と変形が、この出願の範囲内でなされうることは理解されるであろう。
【図面の簡単な説明】
【００９０】
【図１】らせんデータトラックを示すコンパクトディスクの概略を示す。
【図２】ＣＤの上に符号化されたデータのフレームの構造を示す。
【図３】Ｑ−サブチャネルの一般的なデータフォーマットを示す。
【図４】モードに従ったＱ−サブチャネルのデータのフォーマットを示す。
【図５】コンパクトディスクの上のＡ時間とＴ時間の両方をグラフィック的に示す。
【図６ａ】ＣＤ−ＤＡの、テーブルオブコンテンツを有する、トラック定義の例を示す。
【図６ｂ】ディスクがコピー保護されていたときに、図６ａのＣＤ−ＤＡのテーブルオブコンテンツを示す。
【図７】複数セッションを有する光ディスク上の情報を概略的に示す。
【図８】プライマリボリューム記述子の除去による光ディスク上の情報の変造を示す。
【図９】ルートディレクトリのアドレッシングを正しくなくするための、プライマリボリューム記述子の変造による光ディスク上の情報に対する妨害を示す。
【図１０】サブディレクトリのアドレッシングを正しくなくするための、ルートディレクトリの変造による光ディスク上の情報に対する妨害を示す。
【図２】
2005505884.tif 000003
【図３】
2005505884.tif 000004
【図４】
2005505884.tif 000005
【図５】
2005505884.tif 000006
【図６ａ】
2005505884.tif 000007
【図６ｂ】
2005505884.tif 000008
【図７】
2005505884.tif 000009
【図８】
2005505884.tif 000010
【図９】
2005505884.tif 000011
【図１０】
2005505884.tif 000012
【国際公開パンフレット】
2005505884.tif 000013
2005505884.tif 000014
2005505884.tif 000015
2005505884.tif 000016
2005505884.tif 000017
2005505884.tif 000018
2005505884.tif 000019
2005505884.tif 000020
2005505884.tif 000021
2005505884.tif 000022
2005505884.tif 000023
2005505884.tif 000024
2005505884.tif 000025
2005505884.tif 000026
2005505884.tif 000027
2005505884.tif 000028
2005505884.tif 000029
2005505884.tif 000030
2005505884.tif 000031
2005505884.tif 000032
2005505884.tif 000033
2005505884.tif 000034
2005505884.tif 000035
2005505884.tif 000036
2005505884.tif 000037
2005505884.tif 000038
2005505884.tif 000039
2005505884.tif 000040
2005505884.tif 000041
2005505884.tif 000042
2005505884.tif 000043
2005505884.tif 000044
【国際公開パンフレット（コレクトバージョン）】
2005505884.tif 000045
2005505884.tif 000046
【国際調査報告】
2005505884.tif 000047
2005505884.tif 000048
2005505884.tif 000049
2005505884.tif 000050
2005505884.tif 000051